(57)【要約】【課題】      ケ−ス本体内で複数の仕切り体が移動しないように係合する釣り具ケ−スを提供すること。【解決手段】  ケ−ス本体１と蓋体２と仕切り体３と２個の仕切り体３を一束に結束したベルト体４とケ−ス本体１内に固定した面ファスナからなる係合部５とベルト体４に固定した面ファスナからなる係止部６とで構成されている。  ケ−ス本体１内に仕切り体３が収納される時は、２個の仕切り体３がベルト体４で一束に結束されてベルト体４に固定された面ファスナからなる係止部６がケ−ス本体１内に固定された面ファスナからなる係合部５に係合される。【選択図】        図３
2005204552.tif 000002
【特許請求の範囲】
【請求項１】
ケ−ス本体内に複数の仕切り体を収納した釣り用ケ−スにおいて、前記複数の仕切り体を、係止部を有するベルト体で結束し、前記ケ−ス本体内に前記ベルト体の係止部と着脱自在に係合する係合部を設け、前記ベルト体の係止部と前記ケ−ス本体内の係合部を係合して前記複数の仕切り体を前記ケ−ス本体内に収納したことを特徴とする釣り具ケ−ス。
【発明の詳細な説明】
【技術分野】
【０００１】
本発明は、ケ−ス本体内に仕切り体を収納した釣り具ケ−スの改良に関する。
【背景技術】
【０００２】
従来から釣りにおいては、様々な小物を使用するため、これらが混ざり合ったり絡んだりして釣りが思うように行えないことがあり、これら釣り具を効率よく収納または取り出しができるようにケ−ス本体内に、特許文献１のように仕切り体が収納されて、釣り具が区分けされて収納できる釣り具が使用されている。
特許文献１の釣り具ケ−スは、柔軟性を有するケ−ス本体内に硬質の合成樹脂から成る複数の筒状の仕切り体が収納され、ルア−等の釣り具が引っかからずに収納できるように成っている。
しかし、ケ−ス本体内に硬質の合成樹脂から成る複数の筒状の仕切り体が収納されるとケ−ス本体内でそれぞれの仕切り体が動いてしまったり、釣り具の取り出しと同時にケ−ス本体が上方に引かれて突出してしまうことがあり煩わしかった。
【特許文献１】特開２００２−３４４１４号公報
【発明の開示】
【発明が解決しようとする課題】
【０００３】
解決しようとする問題点は、ケ−ス本体内に硬質の合成樹脂から成る複数の筒状の仕切り体が収納されるとケ−ス本体内でそれぞれの仕切り体が動いてしまったり、釣り具の取り出しと同時にケ−ス本体が上方に引かれて突出してしまうことがあり煩わしいことである。
【０００４】
本発明の目的は前記欠点に鑑み、ケ−ス本体内で複数の仕切り体が移動しないように係合する釣り具ケ−スを提供することである。
【課題を解決するための手段】
【０００５】
本発明の請求項１は、ケ−ス本体内に複数の仕切り体を収納した釣り用ケ−スにおいて、前記複数の仕切り体を、係止部を有するベルト体で結束し、前記ケ−ス本体内に前記ベルト体の係止部と着脱自在に係合する係合部を設け、前記ベルト体の係止部と前記ケ−ス本体内の係合部を係合して前記複数の仕切り体を前記ケ−ス本体内に収納したことを要旨とするものである。
【発明の効果】
【０００６】
本発明により、ケ−ス本体内に収納された複数の仕切り体が釣り具の取り出し時に仕切り体が引かれてケ−ス本体１から突出してしまうことが防止される。
【発明を実施するための最良の形態】
【０００７】
ケ−ス本体１と蓋体２と仕切り体３と２個の仕切り体３に巻回して並設するように一束に結束して保持したベルト体４とケ−ス本体１内に固定した面ファスナからなる係合部５とベルト体４に固定した面ファスナからなる係止部６とで構成されている。
ケ−ス本体１内に仕切り体３が収納される時は、２個の仕切り体３がベルト体４で一束に結束されてベルト体４に固定された面ファスナからなる係止部６がケ−ス本体１内に固定された面ファスナからなる係合部５に係合される。
【実施例１】
【０００８】
以下、本発明の実施例を図面に基づき説明すると、図１から図６は第１実施例で、図１は釣り具ケ−スの斜視図、図２は二個の仕切り体の分解斜視図、図３はケ−ス本体と仕切り体の分解斜視図、図４は仕切り体の平面図、図５は釣り具ケ−スの断面側面図、図６は釣り具ケ−スの他の断面側面図である。
【０００９】
釣り具ケ−スは、ケ−ス本体１と蓋体２と仕切り体３と２個の仕切り体３に巻回して並設するように結束して保持したベルト体４とケ−ス本体１内に固定した面ファスナからなる係合部５とベルト体４に固定した面ファスナからなる係止部６とで構成されている。
ケ−ス本体１と蓋体２が薄い合成樹脂シ−トで形成されてケ−ス本体１と蓋体２はケ−ス本体１を身体に装着した時身体と離れた前側が連結され、ケ−ス本体１と蓋体２間は係合チャック７で開閉自在に閉じられている。
ケ−ス本体１の身体と密着する後側にはベルト通し８でウエストバンドタイプのベルト９が伸縮自在に取り付けられ、ベルトの両端に係止具１０、１１が取り付けられている。
ケ−ス本体１と蓋体２が形成される薄い合成樹脂シ−トの材料は、例えばＥＶＡ（エチレン酢酸ビニ−ル）、ＰＶＣ（ポリ塩化ビニ−ル）、ＰＥ（ポリエチレン）等の柔軟性を有する非透湿性の合成樹脂シ−トの端部を溶着してケ−ス本体１は周辺部１ａと底部１ｂと上方に開口部１ｃを有する直方体状に形成されている。
【００１０】
ケ−ス本体１には開口部１ｃに沿って硬質（金属や合成樹脂）のフレ−ム１２が設けられ、周辺部１ａを形成する合成樹脂シ−トは、フレ−ム１２の外側を内側から外側にフレ−ム１２で折り返され、端部が開口部１ｃの外側の容器壁に止着（縫着、溶着等）されている。
ケ−ス本体１の開口部１ｃの周縁はフレ−ム１２で膨らんで周辺部１ａの厚みに対し、容器内外に突出した縁取り部１ｄが形成されている。
ケ−ス本体１の底部１ｂには複数の水抜き透孔１ｅが穿設されている。
ケ−ス本体１の中の前壁と後壁に夫々前記面ファスナからなる係合部５、５が設けられている。
ケ−ス本体１の中には２個の仕切り体３をベルト体４で共に開口が上方になるように並設した状態で取り巻いて保持し、一束に結束して落し込まれてベルト体４に設けた面ファスナからなる係止部６、６がケ−ス本体１の面ファスナからなる係合部５、５に夫々係合されて収容されている。
ケ−ス本体１は薄い合成樹脂シ−トで直方体状に形成されているので、中に物を収容する時は、自立性を有すると共に、中に仕切り体３を収容しない時は、高さの中間を中折りしてコンパクトに折り畳んで携帯等することができる。
【００１１】
仕切り体３は薄い硬質の合成樹脂材で上部が一つの開口部３ａに形成されて開口部３ａの下側に４つの有底筒状の仕切り部３ｂが形成され、底部に水抜き透孔３ｃが穿設されている。
ベルト体４はゴムなどの弾性体でリング状に形成されて対向する面に前記面ファスナからなる係止部６、６が固定されている。
２個の仕切り体３はそれぞれ内部に仕切りを有し、上方に開口を有するケ−ス体からなり、これら仕切り体３がベルト体４で一束に結束される時は、２個の仕切り体３をその側面を向い合わせて重ねて有底筒状の仕切り部３ｂの間の間隙にベルト体４を通して結束し、保持される。
ベルト体４は帯状のゴムなどの弾性体の両端に面ファスナを固定してリング状にしてもよい。
仕切り体３の中には釣具の餌木１３やルア−１４、１５等や他の小物が収納される。
【００１２】
ケ−ス本体１の中に複数の仕切り体３が収容される時は、２個の仕切り体３がベルト体４で一束に結束されて面ファスナからなる係止部６、６がケ−ス本体１の面ファスナからなる係合部５、５に夫々係合されて収容されているので、仕切り体３の中の釣具を取り出す時に仕切り体３が飛び出すことがない。
【００１３】
前記のように釣り具ケ−スが構成されると、ケ−ス本体１内に収納された複数の仕切り体３が釣り具の取り出し時に仕切り体３が引かれてケ−ス本体１から突出してしまうことが防止される。
【実施例２】
【００１４】
図７、図８は第２実施例で、図７は仕切り体の斜視図、図８は釣り具ケ−スの断面側面図と要部拡大断面側面図である。
【００１５】
第２実施例の釣り具ケ−スは、ケ−ス本体１と蓋体２と複数個の仕切り体３′と複数個の仕切り体３′に巻回して並設するように一束に結束して保持したベルト体４′とケ−ス本体１内に固定した面ファスナからなる係合部５とベルト体４′に固定した面ファスナからなる係止部６とで構成されている。
ケ−ス本体１の底部１ｆは網目の通気性部材で形成されてケ−ス本体１の下端周囲に縫着で固定されている。
この縫着部によって底部の周囲に沿って底部突起が形成されている。
ケ−ス本体１の中には底板１６と、それぞれが一つの収納部となる複数の仕切り体３′がベルト体４′で一束に結束されて落し込まれて収容されている。
底板１６はケ−ス本体１の周壁の周囲寸法より小さく形成されると共に複数の水切り透孔１６ａが穿設されている。
複数の仕切り体３′は適度の弾性を有する薄い硬質の合成樹脂シ−トで直方体状に形成されると共に上端と下端に開口を有する筒状に形成されており、底部を有しない。
他の構成は前記第１実施例と略同一である。
【００１６】
底部１ｆの通気性部材は網目状部材の他に複数の小孔を有するシ−トや通気性を有する織布や不織布であっても良い。
ベルト９はウエストバンドタイプを図示したが、肩掛けや首掛けベルトタイプでもよい。
係合部５と係止部６は面ファスナとしたが、スナップ等の他の係止具を使用してもよい。
【産業上の利用可能性】
【００１７】
本発明は釣り具ケ−ス全般に利用できる。
【図面の簡単な説明】
【００１８】
【図１】第１実施例で、釣り具ケ−スの斜視図である。
【図２】同二個の仕切り体の分解斜視図である。
【図３】同ケ−ス本体と仕切り体の分解斜視図である。
【図４】同仕切り体の平面図である。
【図５】同釣り具ケ−スの断面側面図である。
【図６】同釣り具ケ−スの他の断面側面図である。
【図７】第２実施例で、仕切り体の斜視図である。
【図８】同釣り具ケ−スの断面側面図と要部拡大断面側面図である。
【符号の説明】
【００１９】
１  ケ−ス本体
３、３′  仕切り体
４、４′  ベルト体
５  係合部
６  係止部
【図１】
2005204552.tif 000003
【図２】
2005204552.tif 000004
【図３】
2005204552.tif 000005
【図４】
2005204552.tif 000006
【図５】
2005204552.tif 000007
【図６】
2005204552.tif 000008
【図７】
2005204552.tif 000009
【図８】
2005204552.tif 000010